(57)【要約】【課題】不正行為を防止することができて、ＩＣタグに対する悪影響を少なくすることができ、しかも、商品管理や不正チェックに便利なＩＣタグを十分使用することのできるパチンコ機を提供すること。【解決手段】基板ボックス４０の一側部を、遊技盤２０の裏面側にヒンジ部材によって開閉自在に組み付けるとともに、ボックスカバーのヒンジ部材側の一側部を第１封止部４３によってボックスベースに封止できるようにして、基板ボックス４０の、ヒンジ部材とは反対側となる他側部に、各種情報を収納したＩＣタグ５０を取り付けたこと。【選択図】図７
2009011715.tif 000002
【特許請求の範囲】
【請求項１】
ボックスベースとボックスカバーとを備えて、パチンコ遊技のための回路基板が収納される基板ボックスを、遊技盤の裏面側に組み付けたパチンコ機であって、
前記基板ボックスの一側部を、前記遊技盤の裏面側にヒンジ金具によって開閉自在に組み付けるとともに、前記ボックスカバーの前記ヒンジ金具側の一側部を第１封止部によって前記ボックスベースに封止できるようにして、
前記基板ボックスの、前記ヒンジ金具とは反対側となる他側部に、各種情報を収納したＩＣタグを取り付けたことを特徴とするパチンコ機。
【請求項２】
前記ボックスベースの、前記遊技盤の裏面側への前記ヒンジ金具による組み付けは、前記ボックスベースに取り付けられて、前記ヒンジ金具が係合される係止部材を内蔵したベース部材を介して行うようにしたことを特徴とする請求項１に記載のパチンコ機。
【請求項３】
前記基板ボックスの前記ＩＣタグを取り付けた他側部を、前記遊技盤が組み付けられる本体枠の枢軸側に配置して、当該パチンコ機において使用されるワイヤハーネスが前記ＩＣタグに近接しないようにしたことを特徴とする請求項１または請求項２に記載のパチンコ機。
【請求項４】
前記第１封止部を、前記ボックスベース及びボックスカバーの前記ヒンジ金具側の一側部にそれぞれ一体的に形成されて、互いにボックスベースとボックスカバーとを閉じたとき重なり合うベース側封止部及びカバー側封止部と、これら重なり合ったベース側封止部及びカバー側封止部間に挿入されて、両者間の離間を阻止する封止金具とにより構成したことを特徴とする請求項１〜請求項３のいずれかに記載のパチンコ機。
【請求項５】
前記基板ボックスの前記ＩＣタグが設けられる他側部に、合成樹脂からなる第２封止部を複数設けたことを特徴とする請求項１〜請求項４のいずれかに記載のパチンコ機。
【請求項６】
前記基板ボックスの前記遊技盤の裏面側に対する配置を、内部空間がリブによって複数に区画されたスぺーサボックスを介して行い、このスぺーサボックスを前記ヒンジ部材とは別の枢軸によって前記遊技盤の裏面側に回動可能に設けたことを特徴とする請求項１〜請求項５のいずれかに記載のパチンコ機。
【請求項７】
前記スぺーサボックスを裏面に取り付けた球集合板を、前記遊技盤の裏面に取り付けるようにしたことを特徴とする請求項６に記載のパチンコ機。
【発明の詳細な説明】
【技術分野】
【０００１】
本発明は、パチンコ機に関し、特に流通過程に乗せられたパチンコ機の識別情報や製造番号等の各種情報を記録したＩＣタグを取り付けるようにしたパチンコ機に関するものである。
【背景技術】
【０００２】
近年のパチンコ機は、非常に精密な電子部品を組み込んだり、あるいは精緻な型成型を行った部品を使用したりしなければならず、全ての部品を一箇所で形成することは不可能になってきている。そこで、各種部品を異なる場所、言い換えればその技術が得意な部品メーカーで製造し、これを出願人のようなセットメーカーで完成品として組立てることが行われており、これによって製造コストの低減が図られるようになってきているのである。
【０００３】
一方、この種のパチンコ機に対する不正行為について考察してみると、近年発生してきている不正行為は、上述したような部品の複雑化に伴って複雑かつ巧妙になってきており、パチンコ機が多数設置されている所謂ホール（パチンコ店）での不正行為は勿論、上述した部品の流通過程においても不正がなされる現状にある。このため、出願人のようなセットメーカーでは、各部品メーカーから搬入されてきた部品が正規のものであるか否かのチェックを行わなければならないことは勿論、ホールへ出荷されるパチンコ機が正規のものであるか否かのチェックも行わなくてはならない。
【０００４】
このような種々なチェックは非常に手間取るものであるが、最近では、「ＩＣタグ」という便利なものが登場してきた。このＩＣタグは、非常に小さなＩＣチップと、外部から受けた電磁波を電力に変換してこの起電力をＩＣチップに供給するアンテナとを、例えば紙等の平面材に埋め込んで構成したものであり、ＩＣチップには、この種のパチンコ機や部品の識別情報や製造番号等の各種情報を記録できるようにしてある。そして、このＩＣタグに対して外部の読取機から電磁波を送れば、ＩＣチップ内の各種情報が瞬時に読み出せるものであり、ホールや製造工程で、非接触で簡単にチェックが行えるものである。
【０００５】
このような便利なＩＣタグであるが、一つ弱点がある。上述したように、電磁波を照射して起電力を発生させるのであるから、電磁波が確実にＩＣタグ内のアンテナに照射されなければならない。しかしながら、このＩＣタグの近傍に「磁性体」が存在すると、照射された電磁波の一部がこの磁性体に吸収されてしまい、全ての電磁波をアンテナに吸収させることができないのである。そうなると、当該ＩＣタグ内に記録されている情報を完全に読み出すことが出来なくなることがあり、正確なチェックが行なえないことがある。
【０００６】
このようなＩＣタグを採用したパチンコ機の不正を防止したりチェックしたりするものとして、出願人は、特許文献１にて既に提案を行っている。
【特許文献１】特開２００６−３２６２８１号公報、要約、代表図
【発明の開示】
【発明が解決しようとする課題】
【０００７】
この特許文献１にて提案している「遊技機」は、「封印用のシールが貼り付けられた制御基板装置を備えた遊技機において、封印用のシールの機能を好適に発揮することで制御基板に対する不正を容易にかつ確実に発見することができる遊技機を提供する」ことを目的としてなされたもので、例えば、「パチンコ機の主制御装置において、主基板はボックスベース及びボックスカバーから構成される基板ボックスに収容されている。ボックスベース及びボックスカバーにはそれぞれ貼付板部が形成されており、両貼付板部を跨ぐように封印シールが貼り付けられている。封印シールは、アンテナ付きＩＣチップを有しており、ＩＣチップに格納されたＩＤ情報をスキャナーにより読み取ることができる」ようにしたものである。
【０００８】
この特許文献１にて提案している「遊技機」では、「（不正行為によって）封印シールが剥がされると、アンテナ付きＩＣチップのアンテナ部が破壊される」のであり、ＩＣチップに格納されたＩＤ情報をスキャナーにより読み取ることができなくなって、結果的に「不正行為」がなされたことを発見することができる、という効果を有するものである。
【０００９】
しかしながら、この特許文献１では、上述したＩＣタグの弱点、つまりＩＣタグの近傍に「磁性体」が存在すると、照射された電磁波の一部がこの磁性体に吸収されてしまい、全ての電磁波をアンテナに吸収させることができない、といった点には十分な配慮がなされておらず、ＩＣタグの機能を十分に発揮することができない場合もあり得ることが、本発明者等のその後の検討によって見い出されたのである。
【００１０】
なお、この特許文献１によると、この種のパチンコ機は、図２５に示すように、「当該パチンコ機の外殻を形成する外枠を備えている。外枠は、遊技ホールへの設置の際に、いわゆる島設備に取り付けられる。外枠は、木製の板材を全体として矩形枠状に組み合わせた状態とされ、各板材を小ネジ等の離脱可能な締結部材により固定することによって構成されている。外枠を合成樹脂やアルミニウム等の金属によって構成することも可能である。（段落０１００）」ものであり、「外枠の一側部には、本体枠が開閉可能に支持されている。その開閉軸線はパチンコ機の正面からみて左側に上下へ延びるように設定されており、その開閉軸線を軸心にして本体枠が前方側に開放できる（段落０１０１）」ものである。
【００１１】
また、この種のパチンコ機においては、「本体枠の前面側の下部位置には、前面板が設けられている。前面板は横長状に形成され、その横幅は本体枠の横幅とほぼ一致するように構成」されているものであり、「本体枠の前面側の前面板を除く範囲には、本体枠を覆うようにして前面扉としての前扉枠が設けられている。従って、前面板と前扉枠とにより本体枠の前面側全体が覆われている。前扉枠は、本体枠に対して開閉可能に取り付けられており、本体枠と同様、パチンコ機の正面からみて左側に上下に延びる開閉軸線を軸心にして前方側に開放できる」ようになっているものである。
【００１２】
さらに、この種のパチンコ機では、上記特許文献１の段落０１５０に記載され、図２６にも示すように、各ユニットを回動可能に支持する支軸部は、各ユニットをパチンコ機の裏面から開いた状態で容易に取り外し可能なヒンジ構造となっており、第１制御基板ユニットについては、締結部の締結及び係止爪部の係止を解除すると共に、当該ユニットを軸線を中心に回動させて展開し、その状態で持ち上げる。これにより、裏パックユニットがない前提であれば、第１制御基板ユニットを取り外すことができる。また、第２制御基板ユニットについては、締結部の締結を解除すると共に、当該ユニットを軸線を中心に回動させて展開し、その状態で持ち上げる。これにより、第２制御基板ユニットを取り外すことができる。さらに、裏パックユニットについては、締結部の締結及び係止部の係止を解除すると共に、当該ユニットを軸線を中心に回動させて展開し、その状態で持ち上げる。これにより、裏パックユニットを取り外すことができる」ようにしてあるものである。
【００１３】
つまり、特許文献１に記載されているような従来のパチンコ機においては、意識して構成を考慮しないと、ＩＣタグの近傍に「磁性体」が存在することになり、チェックのために外部読み取り機から照射された電磁波の一部をこの磁性体に吸収させてしまって、全ての電磁波をアンテナに吸収させることができない、といったことになり勝ちになるのである。しかしながら、「鉄」を代表とする「磁性体」は剛性の高いものであるから、「不正行為」を防止する材料としては使わざるを得ないものであり、両方の問題を同時に解決するようにしなければならないのである。
【００１４】
そこで、本発明者等は、この種のパチンコ機において、「磁性体」である「鉄部品」を「不正行為」を防止するために効果的に使用しながら、この「鉄部品」がＩＣタグに悪影響を与えないようにするにはどうしたらよいか、について種々検討を重ねてきた結果、本発明を完成したのである。
【００１５】
すなわち、本発明の目的とするところは、不正行為を防止することができて、ＩＣタグに対する悪影響を少なくすることができ、しかも、商品管理や不正チェックに便利なＩＣタグを十分使用することのできるパチンコ機を提供することにある。
【課題を解決するための手段】
【００１６】
以上の課題を解決するために、まず、請求項１に係る発明の採った手段は、後述する最良形態の説明中で使用する符号を付しながら説明すると、
「ボックスベース４０ａとボックスカバー４０ｂとを備えて、パチンコ遊技のための回路基板４０ｃが収納される基板ボックス４０を、遊技盤２０の裏面側に組み付けたパチンコ機１００であって、
基板ボックス４０の一側部を、遊技盤２０の裏面側にヒンジ部材によって開閉自在に組み付けるとともに、ボックスカバー４０ｂのヒンジ部材側の一側部を第１封止部４３によってボックスベース４０ａに封止できるようにして、
基板ボックス４０の、ヒンジ部材とは反対側となる他側部に、各種情報を収納したＩＣタグ５０を取り付けたことを特徴とするパチンコ機１００」
である。
【００１７】
すなわち、この請求項１に係るパチンコ機１００は、ボックスベース４０ａとボックスカバー４０ｂとを備えた基板ボックス４０内に、回路基板４０ｃを収納しながら、この基板ボックス４０を、図２〜図４に示すように、ヒンジ部材によって、当該パチンコ機１００を構成している遊技盤２０の裏面側に組み付けるようにしたものである。これにより、当該パチンコ機１００によってパチンコ遊技を行うのに必要で重要な回路基板４０ｃは、まず、基板ボックス４０によって確実に保護される。
【００１８】
つまり、この基板ボックス４０は、図１６及び図１７に示すように、ボックスベース４０ａとボックスカバー４０ｂとを備えたものとして構成することにより、当該パチンコ機１００の組立場所とは全く別の場所、例えば回路基板４０ｃの製造を行う部品メーカーなどにおいて、回路基板４０ｃを内部に収納して保護するようにしながら、パチンコ機１００のセットメーカー（パチンコ機製造メーカー）とは別の場所にて製造できるようにしているのである。
【００１９】
そして、この基板ボックス４０は、ボックスカバー４０ｂの一側部を第１封止部４３によってボックスベース４０ａに封止できるようにしてあるから、上記のような部品メーカーから当該パチンコ機１００のセットメーカーまでの搬送途中において回路基板４０ｃが不正交換されたとしても、この第１封止部４３を例えばセットメーカーで検査することにより、その不正を簡単に発見することができるものとなっている。
【００２０】
換言すれば、この基板ボックス４０は、例えば図１７及び図１９に示すように、そのボックスカバー４０ｂの、上記ヒンジ部材側の一側部（図２及び図３では図示左側側部）を第１封止部４３によってボックスベース４０ａに封止できるようにしてあるから、この第１封止部４３を破壊しない限り、当該基板ボックス４０内の回路基板４０ｃの不正交換が行えない。当該基板ボックス４０内の回路基板４０ｃを不正交換するために、第１封止部４３を破壊すれば、この第１封止部４３に破壊や溶解などによる痕跡が残るから、この痕跡によって不正交換が行なわれたことを直ちに発見することができるのである。
【００２１】
なお、後述する最良形態では、基板ボックス４０を構成しているボックスカバー４０ｂは、例えば図１６の（ａ）に示すように、ボックスベース４０ａに対して横方向にスライドさせて組み付けられるようにしてあるが、縦方向にスライドさせて組み付けられるようにしてもよい。勿論、このボックスカバー４０ｂのボックスベース４０ａに対する組み付けは、このボックスカバー４０ｂの左右上下何れか一辺を、ボックスベース４０ａの対応辺に枢着して、開閉自在なものとなるようにしてもよい。
【００２２】
また、この基板ボックス４０は、例えば図２及び図３に示すように、その一側部を、遊技盤２０の裏面側にヒンジ部材（後述する最良形態では、ヒンジ金具４２、ヒンジ取付具４２ａ、及びリベットから構成されている）によって開閉自在に組み付けたものである。これにより、当該基板ボックス４０は、図３、図１８、及び図２２に示すように、ヒンジ部材を中心に開閉できるものとなっているだけでなく、遊技盤２０の裏面側に対する取付が容易になっている。
【００２３】
このヒンジ部材を中心に開閉できる基板ボックス４０は、これを図２及び図３に示すように閉じた場合には、その裏側に配置されている種々な部品を保護するとともに、これを図４に示すように開いたときには、その裏側になっていた部品や当該基板ボックス４０の裏面側（閉じたときに遊技盤２０側となる面）からの検査及び点検を容易に行えるようにしているのである。
【００２４】
また、この基板ボックス４０を遊技盤２０の裏面側に連結しているヒンジ部材は、これを金属製のものとすることにより、当該基板ボックス４０の開閉を自在にしながら、基板ボックス４０全体の取り外しを困難にすることができる。すなわち、金属製のものとしたヒンジ部材は、破壊や取り外しが困難な剛性の高いものとすることができるから、当該基板ボックス４０全体の不正交換や持ち去りを困難にするだけでなく、頻繁な開閉操作にも十分耐え得る耐久性の高いものとなる。
【００２５】
そして、この請求項１に係るパチンコ機１００にあっては、その基板ボックス４０の、ヒンジ部材とは反対側となる他側部に、図７の（ｂ）、図１６、図１７、及び図１８に示すように、各種情報を収納したＩＣタグ５０が取り付けてあるから、このＩＣタグ５０に照射された電磁波がヒンジ部材に吸収されてしまうことはない。つまり、電磁波を吸収する金属製のヒンジ部材をＩＣタグ５０から離れた位置に配置することができるから、このＩＣタグ５０の周囲に照射された情報を読み取るための電磁波が、当該ＩＣタグ５０の内部に組み込まれたアンテナに十分吸収されて、当該ＩＣタグ５０からの情報発信のための起電力に効率的に変換されることになり、ＩＣタグ５０は、その本来の機能を確実に発揮し得ることになるのである。
【００２６】
勿論、このＩＣタグ５０は、基板ボックス４０の、ヒンジ部材とは反対側となる他側部取り付けてあり、基板ボックス４０そのものは、図３等に示すように、ヒンジ部材を中心に開閉できるものとなっているのであるから、このＩＣタグ５０へのスキャナーの近づけが行い易くなっており、このＩＣタグ５０に格納してある各種情報の読み取りも行い易くなっているのである。
【００２７】
また、上記課題を解決するために、請求項２に係る発明の採った手段は、上記請求項１に記載のパチンコ機１００について、
「ボックスベース４０ａの、遊技盤２０の裏面側へのヒンジ部材による組み付けは、ボックスベース４０ａに取り付けられて、ヒンジ部材が係合される係止部材を内蔵したベース部材４１を介して行うようにしたこと」
である。
【００２８】
すなわち、この請求項２に係るパチンコ機１００では、その基板ボックス４０の、遊技盤２０の裏面側への取り付けを、図４〜図６、図１５、及び図２１〜図２４に示すように、ボックスベース４０ａに取り付けられて、ヒンジ部材が係合される係止部材を内蔵したベース部材４１を介して行うようにしたものである。
【００２９】
ベース部材は、図４〜図６、図１５、及び図２１〜図２４に示すように、ボックスベース４０ａよりも小さくて、ボックスベース４０ａの内側面の、上記ヒンジ部材が配置される部分に取り付けられるものであり、ヒンジ部材の係合部が係合される係合穴を有する係止部材が内蔵されるものである。つまり、この係止部材を内蔵したベース部材は、基板ボックス４０の内側に固定されるものであり、当該基板ボックス４０をヒンジ部材によって遊技盤２０の裏面側に取り付けるにあたって、このヒンジ部材の先端を当該ベース部材内に差し込むことによりその取付作業を完了できるようにしているものである。
【００３０】
換言すれば、この請求項２のパチンコ機１００における基板ボックス４０は、その内側面に取り付けたベース部材に、遊技盤２０側のヒンジ部材の先端を単に差し込むだけで、このベース部材に内蔵されている係止部材の係合穴内にヒンジ部材の係合部が係合されることになり、基板ボックス４０の遊技盤２０側裏面に対する取付作業が完了するのである。
【００３１】
以上のようなベース部材を介して遊技盤２０の裏面側に簡単に取り付けられることになる基板ボックス４０は、これをセットメーカーとは別の部品メーカーで製造できるようにしてコスト低減を図り、かつ、セットメーカーでの組立作業工数を最小限にして生産性を高めることができる。基板ボックス４０に内蔵されている回路基板４０ｃは、精密で破損し易いものであるから、電子部品の専門メーカーが製造した方が効率的にもコスト的にも有利となるだけでなく、この回路基板４０ｃを内蔵したボックスベース４０ａとボックスカバー４０ｂとの第１封止部４３による封止も電子部品メーカー側で行った方が簡単だからである。一方、セットメーカーでは、多数のパチンコ機１００を組み立てるに際して、その各部品の組立作業工数が小さくなれば、全体としてパチンコ機１００の生産性を高めることができるからである。
【００３２】
また、このベース部材内の係止部材としては、合成樹脂で形成することも考えられるが、後述する最良形態における係止金具４６のように、金属製のものとするのが好ましい。勿論、この金属製の係止金具４６に係合するヒンジ部材も、最良形態におけるようなヒンジ金具４２とするのが好ましい。基板ボックス４０の遊技盤２０裏面側に対する取付に寄与するヒンジ部材や、ベース部材に内蔵される係止部材が金属製のものであれば、その破壊や切断が断然困難になり、基板ボックス４０全体の不正交換や持ち去りを困難にするからである。
【００３３】
さらに、基板ボックス４０がベース部材を介して遊技盤２０の裏面側に取り付けられることになれば、図３及び図４に示すように、ヒンジ部材による当該基板ボックス４０の開閉回動が大きな半径で行えることになり、周囲の部品やワイヤハーネス８０を破損させたり、これらに邪魔されてたりすることなく、開閉操作が行えることになる。
【００３４】
そして、この請求項２に係るパチンコ機１００にあっても、その基板ボックス４０の、金属製になることもあるヒンジ部材や係止部材とは反対側となる他側部に、図７の（ｂ）、図１６、図１７、及び図１８に示すように、各種情報を収納したＩＣタグ５０が取り付けてあるから、このＩＣタグ５０に照射された電磁波がヒンジ部材に吸収されてしまうことはない。つまり、電磁波を吸収する金属製のヒンジ部材や係止部材がＩＣタグ５０から離れた位置に配置してあるから、このＩＣタグ５０の周囲に照射された情報を読み取るための電磁波が、当該ＩＣタグ５０の内部に組み込んだアンテナに吸収されて、当該ＩＣタグ５０からの情報発信のための起電力に効率的に変換されることになり、ＩＣタグ５０はその本来の機能を確実に発揮することになるのである。
【００３５】
さらに、上記課題を解決するために、請求項３に係る発明の採った手段は、上記請求項１または請求項２に記載のパチンコ機１００について、
「基板ボックス４０のＩＣタグ５０を取り付けた他側部を、遊技盤２０が組み付けられる本体枠１１の枢軸１２側に配置して、当該パチンコ機１００において使用されるワイヤハーネス８０がＩＣタグ５０に近接しないようにしたこと」
である。
【００３６】
すなわち、この請求項３のパチンコ機１００では、まず、図４に示した基板ボックス４０のＩＣタグ５０を取り付けた他側部を、図２に示すように、遊技盤２０が組み付けられる本体枠１１の回動中心となる枢軸１２側に配置したものである。当該パチンコ機１００の本体枠１１は、上下２本の枢軸１２を結ぶ線を中心に外枠１０に対して開閉されるものであるが、この枢軸１２に近い部分、つまり回動半径が小さくなる部分にＩＣタグ５０を位置させたものである。
【００３７】
一方、ワイヤハーネス８０は、図３及び図４に示すように、遊技盤２０の裏面側であって、上述した基板ボックス４０や、その上側にある裏パックユニット３０等の間に接続されるものであり、概略遊技盤２０の裏面側中心に配置してある。つまり、このワイヤハーネス８０は、本体枠１１の回動中心である枢軸１２から離れた位置に存在するものである。
【００３８】
以上の結果、当該パチンコ機１００において使用されるワイヤハーネス８０がＩＣタグ５０に近接しないことになり、当該パチンコ機１００を製造する際や、当該パチンコ機１００の設置店でのトラブル解消のため等に本体枠１１を開閉する際の、このワイヤハーネス８０の取り外し作業や接続作業を、ＩＣタグ５０には全く悪影響を与えずに行える。
【００３９】
しかも、ワイヤハーネス８０は電気が通るものであるから、このワイヤハーネス８０がＩＣタグ５０に近接しているとＩＣタグ５０に悪影響を与えることが考えられるが、結果的にＩＣタグ５０はワイヤハーネス８０から離れているから、ＩＣタグ５０からの情報の読み出しは、ワイヤハーネス８０から悪影響を受けることなく正確に行えるのである。勿論、基板ボックス４０に対する上述した不正対策は、ワイヤハーネス８０がＩＣタグ５０に近接しないようにしたことによっても妨げられることなく奏功している。
【００４０】
上記課題を解決するために、請求項４に係る発明の採った手段は、上記請求項１〜請求項３のいずれかに記載のパチンコ機１００について、
「第１封止部４３を、ボックスベース４０ａ及びボックスカバー４０ｂのヒンジ部材側の一側部にそれぞれ一体的に形成されて、互いにボックスベース４０ａとボックスカバー４０ｂとを閉じたとき重なり合うベース側封止部４３ａ及びカバー側封止部４３ｂと、これら重なり合ったベース側封止部４３ａ及びカバー側封止部４３ｂ間に挿入されて、両者間の離間を阻止する封止金具４３ｃとにより構成したこと」
である。
【００４１】
すなわち、この請求項４のパチンコ機１００では、上述してきた第１封止部４３の構成をより具体化したものであり、まず、図１９に示すように、ボックスベース４０ａ及びボックスカバー４０ｂのヒンジ部材側の一側部に、ベース側封止部４３ａ及びカバー側封止部４３ｂをそれぞれ一体的に形成したものである。これらのベース側封止部４３ａ及びカバー側封止部４３ｂは、図１９の（ｂ）に示すように、ボックスベース４０ａとボックスカバー４０ｂとを閉じたとき、互いに重なり合うものである。
【００４２】
これら重なり合ったベース側封止部４３ａ及びカバー側封止部４３ｂ間には、図１９の（ｂ）に示すように、封止金具４３ｃが挿入されたとき、この封止金具４３ｃによって両者間の離間（相対移動）が阻止されることになる。なお、後述する最良形態では、ベース側係止部４３ａ内に封止金具４３ｃと係合するストッパ４９が収納してあり、このストッパ４９が封止金具４３ｃの挿入によりベース側係止部４３ａ内で少し開き、このストッパ４９がカバー側係止部４３ｂ側に係合するようにしてある。
【００４３】
封止金具４３ｃは、これを破断もしくは破損しない限り、重なり合ったベース側封止部４３ａ及びカバー側封止部４３ｂ間の離間を許容しないが、文字通り金属製のものであるから、これを破断もしくは破損することは非常に困難である。
【００４４】
後述する最良形態では、この封止金具４３ｃは、図１９の（ａ）に示すように、単に差し込むだけで挿入が行える板状のものであるが、重なり合ったベース側封止部４３ａ及びカバー側封止部４３ｂ間の離間を阻止することができるのであれば、重なり合ったベース側封止部４３ａ及びカバー側封止部４３ｂ間にねじ込まれる「ワンウエイネジ」や「破断ネジ」であってもよい。
【００４５】
従って、この請求項４に係るパチンコ機１００において採用した基板ボックス４０は、その部品メーカーからセットメーカーへの搬送途中は勿論、当該パチンコ機１００をパチンコホールに設置した後においても、そのボックスベース４０ａとボックスカバー４０ｂとの開放を非常に困難にしており、内部の回路基板４０ｃの不正交換や持ち去りができないようにしている。
【００４６】
以上のような構成の第１封止部４３は、一箇所（一つ）だけ設けて実施してもよいが、図３、図７、及び図１９に示すように、複数箇所設けて実施するとよい。何故なら、第１封止部４３における封止がなされた後に、この第１封止部４３による封止を解いて、基板ボックス４０内の回路基板４０ｃの正規検査を行う場合があり得るが、この正規検査後の第１封止部４３の封止を再び行いたい場合に、これから封止できる新しい第１封止部４３があると有利だからである。
【００４７】
そこで、後述する最良形態では、図３等に示すように、第１封止部４３を複数形成しておいて、最初の封止は、例えば一つの第１封止部４３について行っておく。勿論、他の第１封止部４３については封止を行わず、封止に使う封止金具４３ｃは、第１封止部４３の近くの部分に収納しておく。ここで、最初に封止されていた第１封止部４３の封止金具４３ｃを切断して正規検査を行った後、別の第１封止部４３に用意しておいた封止金具４３ｃを挿入して当該別の第１封止部４３の封止を行うのである。
【００４８】
勿論、これらの第１封止部４３は、一個宛の使用に限らず、２個宛使用して実施しても良いものであり、また、形成箇所も重なり合ったベース側封止部４３ａ及びカバー側封止部４３ｂ間の離間を阻止することができるのであれば、どこであってもよい。
【００４９】
また、上記課題を解決するために、請求項５に係る発明の採った手段は、上記請求項１〜請求項４のいずれかに記載のパチンコ機１００について、
「基板ボックス４０のＩＣタグ５０が設けられる他側部に、合成樹脂からなる第２封止部４４を複数設けたこと」
である。
【００５０】
すなわち、この請求項５のパチンコ機１００では、図４、図７の（ｂ）、図１６〜図１８等に示すように、基板ボックス４０の、上述したＩＣタグ５０側となる部分に合成樹脂からなる第２封止部４４を設けたものであり、この第２封止部４４と前記第１封止部４３とによって、基板ボックス４０を構成しているボックスベース４０ａと基板ボックス４０との開放を一層困難にしているのである。しかも、この第２封止部４４は、合成樹脂からなるものであるから、ＩＣタグ５０に向けて照射された電磁波を吸収することがなく、ＩＣタグ５０の機能が阻害されることがない。
【００５１】
勿論、この第２封止部４４によって、ボックスカバー４０ｂの他側部をボックスベース４０ａに封止できるようにしてあるから、当該パチンコ機１００の設置店においては勿論、部品メーカーから当該パチンコ機１００のセットメーカーまでの搬送途中において回路基板４０ｃが不正交換されたとしても、この第２封止部４４を検査することにより、その不正を簡単に発見することができる。
【００５２】
換言すれば、この基板ボックス４０は、例えば図１８に示すように、そのボックスカバー４０ｂの、ＩＣタグ５０側の他側部を第２封止部４４によってボックスベース４０ａに封止できるようにしてあるから、この第２封止部４４及び第１封止部４３を破壊しない限り、当該基板ボックス４０内の回路基板４０ｃの不正交換が行えない。まず、当該パチンコ機１００の設置店において、基板ボックス４０内の回路基板４０ｃを不正交換するために第２封止部４４を破壊しかつ第１封止部４３をも破壊しようとすると、それには相当時間が掛かるから、通報を受けた警備員等が当該設置店に駆けつけるまでの時間を十分確保することができて、不正交換の防止を図ることができるのである。
【００５３】
また、基板ボックス４０の搬送途中において、基板ボックス４０内の回路基板４０ｃを不正交換しようとすれば、少なくとも第２封止部４４を溶解したり、破壊したりしなければならない。そうすれば、この第２封止部４４に破壊や溶解などによる痕跡が残るから、この痕跡によって不正交換が行なわれたことを直ちに発見することができるのである。
【００５４】
後述する最良形態では、この第２封止部４４を、ボックスベース４０ａとボックスカバー４０ｂとにそれぞれ別々に形成した爪部分と、これが係合する穴部分とを備えたものとして、ボックスベース４０ａとボックスカバー４０ｂとを閉じたとき、これらの爪部分及び穴部分が互いに係合するようにしてある。この場合、例えば爪部分は、当該第２封止部４４を構成している合成樹脂の弾性によって変形しながら穴部分に係合するものであり、ボックスベース４０ａとボックスカバー４０ｂとを閉じたとき、これらの爪部分及び穴部分が自動的に係合するようにしてある。
【００５５】
また、この第２封止部４４としては、一箇所だけ設けても上記機能を発揮するものであるが、この第２封止部４４は複数設けるとよい。第２封止部４４が複数存在していれば、その分基板ボックス４０の不正開放をより困難にするからであり、また、複数の第２封止部４４の係合を同時に外す「キー」の構成を簡単にすることができるからである。
【００５６】
さらに、上記課題を解決するために、請求項６に係る発明の採った手段は、上記請求項１〜請求項５のいずれかに記載のパチンコ機１００について、
「基板ボックス４０の遊技盤２０の裏面側に対する配置を、内部空間がリブ６３によって複数に区画されたスぺーサボックス６０を介して行い、このスぺーサボックス６０を前記ヒンジ部材とは別の枢軸によって遊技盤２０の裏面側に回動可能に設けたこと」
である。
【００５７】
すなわち、この請求項６のパチンコ機１００では、基板ボックス４０の遊技盤２０の裏面側に対する配置を、図４〜図６に示すように、内部空間がリブ６３によって複数に区画されたスぺーサボックス６０を介して行い、このスぺーサボックス６０を、図５に示すように、ヒンジ金具４２のようなヒンジ部材とは別の枢軸によって遊技盤２０の裏面側に回動可能に設けたものである。このスぺーサボックス６０は、最良形態のものでは透明または半透明の合成樹脂によって、内部の視認が容易に行える一体物としてあるが、複数部品によって形成したものであってもよい。
【００５８】
一般に、遊技盤に対する基板ボックスの位置は、できるだけ各機種において統一することが部品流用によるコスト低減に有利であるが、遊技盤に設けられる各構成部品が機種特有のものであるから、その構成部品と基板ユニットとの隙間は機種ごとに異なることになる。この隙間が大きなものになると、これを利用した不正基板（疑似主制御基板など）の隠し込みが可能となるから、この隙間を低減させるための部材を構成部品と基板ユニットとの間に配置することがある。
【００５９】
この隙間低減部材を設置すると、今度はこの隙間低減部材と構成部品との間、あるいは隙間低減部材自体が有している空間内に不正基板が隠し込まれる可能性があり、この場合には不正基板が隠し込まれたことの発見が難しくなるという問題がある。
【００６０】
その点、この請求項６のパチンコ機１００において採用しているスペーサボックス６０は、図５に示すように、内部空間がリブ６３によって複数に区画されたものであるから、このスぺーサボックス６０の存在によって、不正基板の隠し込みが行えるような空間あるいは隙間を遊技盤２０の裏面側から無くすことができるのである。
【００６１】
勿論、リブ６３によって複数に区画された内部空間は、図５に示すように、遊技盤２０の裏面側に向かって開口するように配置されるものであるし、これらの内部空間は、遊技盤２０の裏面側に突出している部分を収納し得る程度の空間であるから、遊技盤２０の裏面側への構成部品の設置に邪魔になることがないだけでなく、これを閉じたときに構成部品を覆うことになってこれらの保護をも行うことになる。
【００６２】
また、この請求項６のパチンコ機１００では、スぺーサボックス６０を前述したヒンジ部材、つまりヒンジ金具４２とは別の枢軸（最良形態では枢軸７２）によって遊技盤２０の裏面側に回動可能に設けてあるから、図４及び図５に示すように、このスペーサボックス６０を基板ボックス４０とは別に回動させることができて、点検等の作業を簡単にすることができる。
【００６３】
換言すれば、このスペーサボックス６０が存在することによって、図４に示すように、遊技盤２０の裏面側の構成部品を当該スペーサボックス６０によって保護したままの状態で基板ボックス４０の開放や閉止操作を行うことができるのであり、遊技盤２０や基板ボックス４０の裏面側の点検を行う際に、遊技盤２０の設けてある各部品や前述したワイヤハーネス８０を傷つけたり外してしまったりすることがない。勿論、図４に示すように、当該スペーサボックス６０の上の基板ボックス４０を開放すれば、当該スペーサボックス６０の全体が大きく開放されて、その視認を容易に行うことができるのであり、このスペーサボックス６０について不正がなされていれば容易に発見し得るのである。
【００６４】
そして、上記課題を解決するために、請求項７に係る発明の採った手段は、上記請求項６に記載のパチンコ機１００について、
「スぺーサボックス６０を裏面に取り付けた球集合板７０を、遊技盤２０の裏面に取り付けするようにしたこと」
である。
【００６５】
すなわち、この請求項７のパチンコ機１００では、遊技盤２０の裏面に取り付けられる球集合板７０にスぺーサボックス６０を取り付けたものであり、かつ、このスぺーサボックス６０を介して基板ボックス４０の遊技盤２０の裏面側に対する配置を行ったのである。
【００６６】
換言すれば、このパチンコ機１００では、スペーサボックス６０を球集合板７０に取り付けてから、この球集合板７０を遊技盤２０の裏面側に取り付けるものであり、これにより、まずスペーサボックス６０単独の取り外しを困難にして、取り外された後の空間内に不正基板の隠し込み等の不正を行いにくくしたものである。つまり、スペーサボックス６０を球集合板７０に取り付けるには、図８及び図９に示すように、球集合板７０の表面側（遊技盤２０の裏面に接する側の面）からネジ等を挿通してこれをスペーサボックス６０側に固定し、このネジ等の頭部（工具によって回動される部分）が遊技盤２０とスペーサボックス６０との間に挟み込まれることになって、これらのスペーサボックス６０及び球集合板７０を固定しているネジ等を簡単には外せなくなるから、結果的にスペーサボックス６０の取り外しが困難になるのである。
【００６７】
また、以上のようにすることによって、球集合板７０に電気部品やスペーサボックス６０をユニット化することができるのであり、部品メーカーでの製造を可能にして、セットメーカーでの工程数削減が図れるだけでなく、このユニット化した球集合板７０、電気部品及びスペーサボックス６０を遊技盤２０の裏面側に取り付けるようにすることによって、セットメーカーでの工程数削減をより一層図ることができる。
【００６８】
勿論、このユニット化した球集合板７０、電気部品及びスペーサボックス６０は、これを遊技盤２０の裏面側に取り付けるまでの間、そのユニットのままで各部の検査が行えるのであり、何度でもネジ等の脱着が行えて修理も行えることになる。
【発明の効果】
【００６９】
以上、説明した通り、本発明においては、
「ボックスベース４０ａとボックスカバー４０ｂとを備えて、パチンコ遊技のための回路基板４０ｃが収納される基板ボックス４０を、遊技盤２０の裏面側に組み付けたパチンコ機１００であって、
基板ボックス４０の一側部を、遊技盤２０の裏面側にヒンジ部材によって開閉自在に組み付けるとともに、ボックスカバー４０ｂのヒンジ部材側の一側部を第１封止部４３によってボックスベース４０ａに封止できるようにして、
基板ボックス４０の、ヒンジ部材とは反対側となる他側部に、各種情報を収納したＩＣタグ５０を取り付けたこと」
にその構成上の主たる特徴があり、これにより、不正行為を防止することができて、ＩＣタグに対する悪影響を少なくすることができ、しかも、商品管理や不正チェックに便利なＩＣタグを十分使用することのできるパチンコ機１００を提供することができる。
【発明を実施するための最良の形態】
【００７０】
次に、上記各請求項に係る発明を、図面に示した最良の形態であるパチンコ機１００について説明するが、この最良形態のパチンコ機１００は、上記各請求項に係る発明の全てを含むものである。また、図１〜図１９には、本発明の実施例１に係るパチンコ機１００が、図２０〜図２４には、同実施例２に係るパチンコ機１００が示してある。
【００７１】
（実施例１）
図１には、本発明を適用したパチンコ機１００の正面図が示してある。このパチンコ機１００は、図２５及び図２６に示した従来のそれと同様に、ホール（パチンコ店）の島を構成している土台部分に立設される外枠１０を有しているものであり、この外枠１０に対しては、図２に示したように、図示右側の上下に設けた枢軸１２によって、本体枠１１が開閉自在に取り付けてある。この本体枠１１の開閉状態は、従来例を示す図２５に示したのと同様になっている。なお、外枠１０には、図１にも示したように、ガラスを支持した前面枠１３が開閉自在に取り付けられるものである。
【００７２】
外枠１０に対して上下の枢軸１２によって連結した本体枠１１には、図１及び図２に示したように、前面側にパチンコ遊技領域を形成した遊技盤２０が取り付けてある。この遊技盤２０の裏面には、図２及び図３に示したように、裏パックユニット３０や基板ボックス４０が取り付けてあり、本最良形態では、図４に示したように、基板ボックス４０の下側にスペーサボックス６０を配置し、このスペーサボックス６０の下側に球集合板７０を配置するようにしてある。
【００７３】
基板ボックス４０は、図１６〜図１８に示したように、遊技盤２０側に配置されるボックスベース４０ａと、このボックスベース４０ａに嵌合されるボックスカバー４０ｂとからなり、これらのボックスベース４０ａ及びボックスカバー４０ｂによって形成される空間内には回路基板４０ｃが収納されるものである。これらのボックスベース４０ａ及びボックスカバー４０ｂは、非磁性体材料、つまり合成樹脂によってそれぞれ一体成形したものであり、特に本最良形態のボックスカバー４０ｂについては、当該基板ボックス４０内の外部からの視認を容易にするために、透明または半透明の合成樹脂材料によって形成してある。
【００７４】
また、この基板ボックス４０の図示左側側縁（一側部）には５個の第１封止部４３が、また右側側縁には４個の第２封止部４４が形成してある。なお、本最良形態に係る基板ボックス４０では、そのボックスカバー４０ｂが、ボックスベース４０ａに対して横方向からスライド嵌合されるものであるが、これらのボックスベース４０ａ及びボックスカバー４０ｂの嵌合方法は、上下方向からスライド嵌合できるようにしたり、あるいは蝶番などで開閉できるように実施してもよいものである。
【００７５】
そして、この基板ボックス４０の、第２封止部４４の近傍に位置する箇所には、図７、図１７及び図１８に示したように、当該パチンコ機１００の識別情報を記録したＩＣタグ５０が取り付けてある。
【００７６】
この基板ボックス４０は、図１４及び図１５に示したように、その裏面の一方側に取り付けられるベース部材４１を介して、球集合板７０側に取り付けたヒンジ金具４２により、球集合板７０従って遊技盤２０に対して、図４に示したような開閉が自在に行えるように連結したものである。
【００７７】
ベース部材４１は、図４にも示したように、枢軸１２とは反対側部分になる基板ボックス４０の裏面に、固定後に外すことができなくなるワンウエイネジや破断ネジによって一体的に取り付けられるものであり、図６、図１２、図１３の（ｂ）、図１４、及び図１５に示したように、基板ボックス４０を構成するボックスベース４０ａの裏面（遊技盤２０側になる面）に取付けられるものである。
【００７８】
すなわち、このベース部材４１は、図１５の（ａ）に示したように、ボックスベース４０ａの裏面側に、挟持板４５とこれによってベース部材４１に一体化される係止金具４６とを介在させた状態で、図１５の（ｂ）に示したように、取り付けられるものである。この場合、ボックスベース４０ａの裏面に形成してある係止突起４７によって、当該ベース部材４１の位置決めがなされる。
【００７９】
ベース部材４１をボックスベース４０ａの裏面に取り付けるにあたって挟持された係止金具４６は、ヒンジ金具４２の先端の抜け止めと固定を行うものであり、金属製のものである。すなわち、この係止金具４６は、図１４に示したヒンジ金具４２が差し込まれたときに、その先端を係止するものであり、これによってヒンジ金具４２の基板ボックス４０からの抜け止めを行うものである。
【００８０】
ヒンジ金具４２は、図５、図１１〜図１４に示したようなものであり、特に図１４に示したように、後述する球集合板７０の内側に差し込まれたヒンジ取付具４２ａの先端に、例えば金属製のリベットや枢軸によって回動自在に連結されるものである。勿論、球集合板７０は遊技盤２０の裏面に固定されるものであるから、以上のヒンジ取付具４２ａ及びヒンジ金具４２によって球集合板７０に連結された基板ボックス４０は、遊技盤２０の裏面に取り付けられることになり、図４に示したような開閉が自由に行えるものとなる。
【００８１】
さて、この基板ボックス４０の左右両側縁には、図３、図７、図１６、及び図１７に示したように、第１封止部４３及び第２封止部４４がそれぞれ形成される。これらの第１封止部４３及び第２封止部４４は、実際には、図１６の（ｂ）及び図１７に示したように、基板ボックス４０を構成しているボックスベース４０ａ及びボックスカバー４０ｂの左右両端縁に一体的に形成されるものであり、従って非磁性材料からなるものである。なお、これらの第１封止部４３及び第２封止部４４を、図１６の（ａ）に示したように封止したときには、回路基板４０ｃからの配線を引き出すための穴が、ボックスベース４０ａ及びボックスカバー４０ｂの何れか少なくとも一方に形成される。
【００８２】
これらの第１封止部４３及び第２封止部４４は、図に示した最良形態では、それぞれ５個及び４個形成してあり、それぞれ独立したものとしてある。勿論、これらの第１封止部４３及び第２封止部４４の数や大きさは、適宜選定できるものである。
【００８３】
まず、第１封止部４３については、図１９に示したように、ボックスベース４０ａ及びボックスカバー４０ｂの、ヒンジ金具４２側の一側部にそれぞれ一体的に形成されて、互いにボックスベース４０ａとボックスカバー４０ｂとを閉じたとき重なり合うベース側封止部４３ａ及びカバー側封止部４３ｂと、これら重なり合ったベース側封止部４３ａ及びカバー側封止部４３ｂ間に挿入されて、両者間の離間を阻止する封止金具４３ｃとにより構成してある。
【００８４】
すなわち、この最良形態のパチンコ機１００では、その第１封止部４３の構成を、図１９に示したように、ボックスベース４０ａ及びボックスカバー４０ｂのヒンジ部材側の一側部に、ベース側封止部４３ａ及びカバー側封止部４３ｂをそれぞれ一体的に形成したものである。これらのベース側封止部４３ａ及びカバー側封止部４３ｂは、図１９の（ｂ）に示したように、ボックスベース４０ａとボックスカバー４０ｂとを閉じたとき、互いに重なり合うものである。
【００８５】
これら重なり合ったベース側封止部４３ａ及びカバー側封止部４３ｂ間には、図１９の（ｂ）に示したように、封止金具４３ｃが挿入されたとき、この封止金具４３ｃによって両者間の相対移動が阻止されることになる。そして、本最良形態では、図１９の（ｂ）に示したように、封止金具４３ｃと係合する二本の係止突起４９ａを有するストッパ４９がベース側係止部４３ａ内に収納してあり、このストッパ４９内に封止金具４３ｃが挿入されることにより、二本の係止突起４９ａがベース側係止部４３ａ内で少し開いて、このストッパ４９がカバー側係止部４３ｂ側に係合するようにしてある。
【００８６】
つまり、回路基板４０ｃを収納した基板ボックス４０において、そのボックスカバー４０ｂがボックスベース４０ａに対して完全に嵌合されたときには、図１９の（ａ）に示したように、一つの第１封止部４３に封止金具４３ｃを強制的に挿入することによって、当該一つの第１封止部４３における封止がなされるのである。勿論、各封止金具４３ｃは、文字通り金属製のものであり、これを簡単に破断することはできないものである。
【００８７】
つまり、各封止金具４３ｃは、図１９の（ｂ）に示したように、ボックスベース４０ａ及びボックスカバー４０ｂの、ベース側封止部４３ａ及びカバー側封止部４３を互いに嵌合させた後に差し込まれるものであり、各第１封止部４３における封止を行うものである。
【００８８】
本最良形態の各封止金具４３ｃの先端部両側には、図１９の（ｂ）に示したように、クサビ面４３ｄが形成してあり、このクサビ面４３ｄによって広げられる係止突起４９ａを有するストッパ４９が一方の第１封止部４３内に収納してある。このため、互いに端部を嵌合させた第１封止部４３に封止金具４３ｃを差し込むと、そのクサビ面４３ｄによって、まずストッパ４９の各係止突起４９ａが広げられる。さらにこの封止金具４３ｃを差し込むと、各係止突起４９ａは封止金具４３ｃの頸部内に係合し、封止金具４３ｃはストッパ４９によって第１封止部４３内にて固定されるのである。このように封止金具４３ｃによる封止が完了すれば、この封止金具４３ｃの第１封止部４３外へ突出する部分はなくなるから、この封止金具４３ｃの抜き出しは完全に不可能になり、他の部分を破壊しない限り、この封止は解除できないものとなる。
【００８９】
もし、この第１封止部４３の封止を解いて、内部の回路基板４０ｃの不正交換を行った場合には、この封止を解いた状況（破壊や溶融した跡）が第１封止部４３のどこかに残るはずである。この跡が、次に述べる「正規」のものでない場合には、回路基板４０ｃの不正交換が行われたことを示すものであるから、この第１封止部４３の状況によって不正をチェックすることができる。
【００９０】
各第１封止部４３の封止において金属製の封止金具４３ｃを使用したとしても、この第１封止部４３は基板ボックス４０のＩＣタグ５０とは反対側に位置しており、かつ反対側の第２封止部４４については金属を使用していなかったから、これらの封止金具４３ｃによってＩＣタグ５０が悪影響を受けることはない。つまり、ＩＣタグ５０からはその書き込まれた情報を確実に読み出せるものとなっているのである。
【００９１】
本最良形態では、この封止金具４３ｃは、図１９の（ａ）に示したように、単に差し込むだけで挿入が行える板状のものであるが、重なり合ったベース側封止部４３ａ及びカバー側封止部４３ｂ間の離間を阻止することができるのであれば、重なり合ったベース側封止部４３ａ及びカバー側封止部４３ｂ間にねじ込まれる「ワンウエイネジ」や「破断ネジ」であってもよい。
【００９２】
なお、各第１封止部４３にての封止を行う封止金具４３ｃは、図１９に示すような形状のものの他、固定後に外すことのできないワンウエイネジや破断ネジに代えて実施してもよいものである。
【００９３】
一方、各第２封止部４４については、本最良形態の場合、ボックスベース４０ａ及びボックスカバー４０ｂ側のそれぞれについて、図示はしていないが、スライド嵌合し合った場合に互いに係合する穴、またはこの穴に係合する爪（係合突起）が形成してある。当該係合突起を形成した第２封止部４４は、合成樹脂によってボックスベース４０ａまたはボックスカバー４０ｂと一体成形したものであるから、この係合突起はある程度の弾性を有したものとなっている。
【００９４】
この第２封止部４４には、これに形成した係合突起を外部から視認できる開口が形成してあるから、当該第２封止部４４における係合突起による封止を外したい場合には、この係合突起を「キー」等を使用して押し込み、穴と爪との係合を解くようにするのである。
【００９５】
本最良形態では、第２封止部４４が４箇所に形成してあったから、４つの第２封止部４４全てにこの係合突起による封止を行えば、４箇所の封止を、それを可能にする上記「キー」によって同時に解除しない限り、当該第２封止部４４の封止解除は行えないことになる。つまり、当該第２封止部４４を有する基板ボックス４０は、ボックスベース４０ａとボックスカバー４０ｂとを開放して中の回路基板４０ｃの不正交換が簡単には行えないようになっているのである。
【００９６】
上述したように、この基板ボックス４０は、内部の回路基板４０ｃのチェックを行うために、正規に開放しなければならないときがあるが、その場合には、４つの開口から臨んでいる係合突起の全てを同時に押し込むことのできる「歯」を有した上記「キー」のようなものを用意しておけばよい。勿論、４つの内の３個しか封止構造として使用しない場合には、３個の歯を有するキーを用意しておけばよい。
【００９７】
そして、この最良形態のパチンコ機１００では、図７の（ｂ）、図１７、及び図１８に示したように、ＩＣタグ５０が取り付けてあるのである。このＩＣタグ５０は、アンテナ付きのＩＣチップを有しているものであり、外部のスキャナーによって電磁波を照射したとき、ＩＣチップに書き込まれている当該パチンコ機１００の識別情報や製造番号などの各種情報を、このＩＣタグ５０に直接接触しなくてもスキャナーに伝達することができるものである。
【００９８】
従って、当該パチンコ機１００の製造過程や、基板ボックス４０の流通過程での種々なチェックは、当該ＩＣタグ５０を使用すれば、直接パチンコ機１００や基板ボックス４０に接触しなくても、あるいは人が視認しなくても非常に簡単に行えるのである。
【００９９】
ところで、本最良形態のパチンコ機１００は、図４〜図７に示したように、基板ボックス４０の下側にスペーサボックス６０を介在させるようにしている。このスペーサボックス６０は、合成樹脂製のものであり、その表面側は図４に示したように略平面的なものであるが、その裏側は、図６に示したように、多数のリブ６３を形成することによって、遊技盤２０側に向けて開口した多数の空間を有したものとしてある。これらのリブ６３は、当該スペーサボックス６０に剛性を付与するとともに、中に物（例えば不正基板など）が入れられないようにするものである。
【０１００】
このスペーサボックス６０は、図５に示したように、ヒンジ６４によって後述する球集合板７０に開閉自在に連結したものであり、このスペーサボックス６０を閉じたときには、図４にも示したように、その上側に、ヒンジ金具４２によって球集合板７０側に連結した基板ボックス４０を配置できるようにしたものである。
【０１０１】
また、このスペーサボックス６０の表面側には、図３に示したように、係止部６２が突出形成してある。この係止部６２は、当該スペーサボックス６０の上に閉じられてきた基板ボックス４０を係止するものであり、これを右方向に押すことによって基板ボックス４０を開放し得るようにするものである。
【０１０２】
さらに、図６に示したように、このスペーサボックス６０の図示左側端縁に、第１止め部６５ａ及び第２止め部６５ｂが形成してあり、これらの第１止め部６５ａ及び第２止め部６５ｂは、ビス６６によって、後述する球集合板７０の左端縁に固定されるものである。
【０１０３】
さて、遊技盤２０の裏面においては、図２及び図３に示したように、裏パックユニット３０や基板ボックス４０等のパチンコ遊技を楽しくするための多くのユニット、装置が配置してあるが、これらの間にはできるだけ空間を形成しないようにしなければならない。何故なら、不正行為の一つとして、不正基板を遊技盤２０の裏面側に組み込んで、この不正基板を基板ボックス４０内の正規の回路基板４０ｃに代えて作動させるようにするものがある。つまり、この遊技盤２０の裏面側には不正基板を収納しておくような空間を形成しないようにしておくと、正規基板に代わる不正基板を取り付けるという不正行為が防止できるのである。
【０１０４】
その点、このパチンコ機１００では、上述したスペーサボックス６０が存在することによって、不正基板を隠し込むような余分な空間を無くすことができて、不正行為を防止できるのである。勿論、このスペーサボックス６０は非磁性体材料によって形成してあるから、ＩＣタグ５０の読み取りのために照射された電磁波を吸収することはなく、ＩＣタグ５０に対する悪影響を与えることはないのである。また、このスペーサボックス６０は、基板ボックス４０によって覆われることになるものであるから、このスペーサボックス６０を球集合板７０に連結するヒンジ６４についても金属ではなく非磁性体材料によって形成してもよいため、このスペーサボックス６０の存在によってＩＣタグ５０に悪影響が及ぼされることはないのである。
【０１０５】
なお、本最良形態のスペーサボックス６０では、図４〜図６に示したように、表面は隙間のない平面的なものにしておき、内部については多数のリブ６３が存在するように一体成形したものであるから、基板ボックス４０を支承するのに必要な十分な剛性を有したものとなっているのである。勿論、機種に応じて、このスペーサボックス６０の形状や大きさは異なってくるのであるが、図５にも示したように、内部に多数のリブ６３を有する箱型のものとして非磁性体材料、例えば合成樹脂によって簡単に型成形することができるものである。
【０１０６】
また、この最良形態のスペーサボックス６０は、図４〜図６に示したように、球集合板７０を覆うとともに、球集合板７０と基板ボックス４０との間に配置されるものであるから、球集合板７０や基板ボックス４０の保護も行うことになる。特に、当該パチンコ機１００のチェックや稼働中のトラブルに対処するために、図４や図２５に示すような状態で各部を開放することがあるが、その場合に当該スペーサボックス６０がパチンコ機１００の他の部分の保護を行うことになる。
【０１０７】
さて、球集合板７０であるが、この球集合板７０は、遊技盤２０に形成してある入賞口から転動してきたパチンコ球を受けながら、その入賞を検知する各種スイッチを内蔵したものであり、周囲のベース板７１にて遊技盤２０側に取り付けられるものである。
【０１０８】
そして、この最良形態のパチンコ機１００では、上記球集合板７０のベース板７１を遊技盤２０の裏面に取り付けるにあたって、ベース板７１と一体的に形成した止め部７３から挿通して遊技盤２０の裏面に螺着したビス７５の頭部をキャップ７４で覆うようにしてある。
【０１０９】
すなわち、このパチンコ機１００では、まず、図２、図３、図６、及び図７に示したように、球集合板７０は、その遊技盤２０側となる面にベース板７１を有するものであり、このベース板７１には、図８〜図１０に示したように、これと一体的な止め部７３が形成してある。この止め部７３は、球集合板７０の各コーナー部等に一体化したものであり、図１０に示したように、この止め部７３を遊技盤２０側に対してビス７５によって固定するものである。なお、図１０において、この止め部７３や遊技盤２０は、部分的に示してある。
【０１１０】
そして、これら各止め部７３を遊技盤２０側に対してビス７５によって固定した後は、図８〜図１０に示したように、各ビス７５の頭部をキャップ７４で覆うようにしてある。つまり、キャップ７４によって隠されたビス７５により、当該ビス７５がどこにあるかが見えなくなるから、球集合板７０を外す作業は相当時間が掛かるものとなっており、球集合板７０は遊技盤２０から簡単に外せなくなるのである。換言すれば、各キャップ７４は、遊技盤２０の裏面に取り付けてある基板ボックス４０等の全部を、他の用意してきた偽部材とゴッソリ交換してしまうという、ホール内での不正行為を行い辛くしている。
【０１１１】
不正行為は、ある一定の短時間内、例えばこの種のパチンコ機１００が有している警報装置が作動して人が駆けつけるまでの間に終えなければならない。その点、上記のように、球集合板７０やその上側のスペーサボックス６０の取り外しに時間が掛かるようであれば、不正行為者は、ある一定の時間が来れば、その不正行為の続行を諦めて、ホールから立ち去ることになり、結果として、各キャップ７４を使用した当該構造は、不正行為防止を果たしていることになる。
【０１１２】
なお、本最良形態では、図９に示したように、各キャップ７４に係止突起７４ａが一体的に形成してあり、この係止突起７４ａが係合する係止部７３ａを、図１０の（ａ）に示したように、止め部７３の内部側に形成してある。このため、このキャップ７４を、ビス７５の頭部を隠すべく止め部７３の穴内に強制嵌合したとき、その各係止突起７４ａが各係止部７３ａに係合して、当該キャップ７４の止め部７３からの取り外しそのものも非常に困難になるから、球集合板７０は勿論、その上のスペーサボックス６０の取り外しには時間が相当掛かって、スペーサボックス６０に対する不正基板の隠し込み等の不正行為を防止できるものとなっている。
【０１１３】
また、本最良形態に係るパチンコ機１００については、図３及び図４に示したように、その基板ボックス４０のＩＣタグ５０を取り付けた他側部を、遊技盤２０が組み付けられる本体枠１１の枢軸１２側に配置して、当該パチンコ機１００において使用されるワイヤハーネス８０がＩＣタグ５０に近接しないようにしてある。
【０１１４】
すなわち、このパチンコ機１００では、まず、図４に示した基板ボックス４０のＩＣタグ５０を取り付けた他側部を、図２に示したように、遊技盤２０が組み付けられる本体枠１１の回動中心となる枢軸１２側に配置したものである。換言すれば、当該パチンコ機１００では、上下２本の枢軸１２を結ぶ線を中心に外枠１０に対して本体枠１１が開閉されるものであるが、この枢軸１２に近い部分、つまり回動半径が小さくなる部分にＩＣタグ５０を位置させてある。
【０１１５】
一方、ワイヤハーネス８０は、図３及び図４に示したように、遊技盤２０の裏面側であって、上述した基板ボックス４０や、その上側にある裏パックユニット３０等の間に接続されるものであり、概略遊技盤２０の裏面側の略中心部分に配置してある。つまり、このワイヤハーネス８０は、本体枠１１の回動中心である枢軸１２から離れた位置に存在するものである。
【０１１６】
以上の結果、当該パチンコ機１００において使用されるワイヤハーネス８０がＩＣタグ５０に近接しないことになり、当該パチンコ機１００を製造する際や、当該パチンコ機１００の設置店でのトラブル解消のため等に本体枠１１を開閉する際の、このワイヤハーネス８０の取り外し作業や接続作業を、ＩＣタグ５０には全く悪影響を与えずに行えるものである。
【０１１７】
しかも、電気が通るワイヤハーネス８０がＩＣタグ５０から離れているから、ＩＣタグ５０からの情報の読み出しは、ワイヤハーネス８０から悪影響を受けることなく正確に行えるのである。
【０１１８】
（実施例２）
図２０〜図２４には、本発明に係るパチンコ機１００の第２実施例が示してあるが、図２０では、実施例１において使用したスペーサボックス６０を採用しない例が示してある。この図２０に示してあるのは、遊技盤２０の裏面に取り付けた球集合板７０と、これに取り付けられるべき基板ボックス４０であるが、この基板ボックス４０は球集合板７０の上側に直接取り付けられるものである。そうなると、実施例１で示したスペーサボックス６０による余分な空間を形成しない、と言う効果が発揮できないが、本実施例では、その点を球集合板７０側においてカバーできるようにしている。
【０１１９】
すなわち、この実施例２における球集合板７０では、図２０に示したように、所定高さや大きさを有して、直接取り付けられる基板ボックス４０との間に空間を形成しないようにするスペース突起７６及び支持脚７７が設けてある。これらのスペース突起７６及び支持脚７７は、それ自体はパチンコ機１００としての何かの機能を果たすものではないが、基板ボックス４０との間に空間が生じないようにするとともに、当該球集合板７０上に基板ボックス４０を取り付けたときの位置決めの役割を果たすものである。従って、これらのスペース突起７６及び支持脚７７は、取り付けた基板ボックス４０の安定化を図るものである。
【０１２０】
このパチンコ機１００においても基板ボックス４０をヒンジ金具４２によって球集合板７０側に取り付けるのであるが、このヒンジ金具４２は、図２１〜図２３に示したように、例えば図１１に示した実施例１に係るものと比較して、面積を少し広くしたものとしてある。これにより、ベース部材４１を介した基板ボックス４０の回動自在な支持を強くすることができて、ベース部材４１において使用する係止金具４６も小さくすることができるものである。
【０１２１】
また、このような面積の小さくなったヒンジ金具４２でも、図２３に示したように、実施例１で使用したヒンジ取付具４２ａを使用して、当該基板ボックス４０を球集合板７０に取り付けることができることはいうまでもない。
【図面の簡単な説明】
【０１２２】
【図１】本発明に係るパチンコ機の正面図である。
【図２】同パチンコ機の背面図である。
【図３】同パチンコ機において使用されている遊技盤の背面構造を示す斜視図である。
【図４】図３に示した基板ボックスを開いたときの状態を示す斜視図である。
【図５】図４に示したスペーサボックスを開いたときの状態を示す斜視図である。
【図６】遊技盤から球集合板、スペーサボックス、基板ボックス及びそのベース部材を外した状態の斜視図である。
【図７】遊技盤の裏面を、図３から見たのとは反対側から見た状態を示すもので、（ａ）は組み付け状態の斜視図、（ｂ）は遊技盤から球集合板、スペーサボックス、基板ボックス及びそのベース部材を外した状態の斜視図である。
【図８】球集合板と遊技盤との連結状態を示すもので、（ａ）は取付完了状態を示す部分拡大図、（ｂ）は各部材を外した状態を示す部分拡大斜視図である。
【図９】図８の（ｂ）に示した状態を反対側から見た状態を示す部分拡大斜視図である。
【図１０】図８に示した遊技盤、止め部、ビス及びキャップの関係を示すもので、（ａ）は遊技盤側からみた分解斜視図、（ｂ）はキャップ側からみた分解斜視図である。
【図１１】基板ボックスを球集合板に取り付ける様子を示した斜視図である。
【図１２】基板ボックスを球集合板に取り付けるにあたって、ベース部材を分解した様子を示した斜視図である。
【図１３】図１１に示した基板ボックスを球集合板に取り付ける様子を示したもので、（ａ）は部分破断分解斜視図、（ｂ）は部分破断分解平面図である。
【図１４】基板ボックスを球集合板に取り付ける様子を遊技盤側から見た分解斜視図である。
【図１５】基板ボックスとベース部材との関係を示すもので、（ａ）は分解斜視図、（ｂ）は完成後の斜視図である。
【図１６】基板ボックスを示すもので、（ａ）は完成後の斜視図、（ｂ）は分解斜視図である。
【図１７】基板ボックスを拡大して示す分解斜視図である。
【図１８】基板ボックスのＩＣタグを取り付けた部分を拡大して示した部分斜視図である。
【図１９】基板ボックスにおける第１封止部の封止構造を示すもので、（ａ）は封止する前の状態を示す分解斜視図、（ｂ）は（ａ）中の封止金具に付してある矢印に沿って見た第１封止部での封止状態を示す部分拡大断面図である。
【図２０】第２実施例に係るパチンコ機の遊技盤背面を示す分解斜視図である。
【図２１】同パチンコ機の、基板ボックスとベース部材とを分解したときの遊技盤背面を示す分解斜視図である。
【図２２】同パチンコ機の基板ボックスを球集合板に取り付ける様子を示したもので、（ａ）は部分破断斜視図、（ｂ）は部分破断平面図である。
【図２３】同パチンコ機の基板ボックスを球集合板に取り付ける様子を遊技盤側から見た分解斜視図である。
【図２４】同パチンコ機の基板ボックスとベース部材との関係を示すもので、（ａ）は分解斜視図、（ｂ）は完成後の斜視図である。
【図２５】従来のパチンコ機であって、その前面枠や本体枠を前方に開いた状態を示す斜視図である。
【図２６】同パチンコ機の背面側の各部材を分解して示した斜視図である。
【符号の説明】
【０１２３】
１００    パチンコ機
１０    外枠
１１    本体枠
１２    枢軸
１３    前面枠
２０    遊技盤
３０    裏パックユニット
３１    ベース部材
４０    基板ボックス
４０ａ  ボックスベース
４０ｂ  ボックスカバー
４０ｃ  回路基板
４１    ベース部材
４２    ヒンジ金具（ヒンジ部材）
４２ａ  ヒンジ取付具
４３    第１封止部
４３ａ  ベース側封止部
４３ｂ  カバー側封止部
４３ｃ  封止金具
４３ｄ  クサビ面
４４    第２封止部
４５    挟持板
４６    係止金具（係止部材）
４７    係止突起
４９    ストッパ
４９ａ  係止突起
５０    ＩＣタグ
６０    スペーサボックス
６１    ハーネス収納凹部
６２    係止部
６３    リブ
６４    ヒンジ
６５ａ  第１止め部
６５ｂ  第２止め部
６６    ビス
７０    球集合板
７１    ベース板
７２    枢軸
７３    止め部
７３ａ  係止部
７４    キャップ
７４ａ  係止突起
７５    ビス
７６    スペース突起
７７    支持脚
８０    ワイヤハーネス
【図１】
2009011715.tif 000003
【図２】
2009011715.tif 000004
【図３】
2009011715.tif 000005
【図４】
2009011715.tif 000006
【図５】
2009011715.tif 000007
【図６】
2009011715.tif 000008
【図７】
2009011715.tif 000009
【図８】
2009011715.tif 000010
【図９】
2009011715.tif 000011
【図１０】
2009011715.tif 000012
【図１１】
2009011715.tif 000013
【図１２】
2009011715.tif 000014
【図１３】
2009011715.tif 000015
【図１４】
2009011715.tif 000016
【図１５】
2009011715.tif 000017
【図１６】
2009011715.tif 000018
【図１７】
2009011715.tif 000019
【図１８】
2009011715.tif 000020
【図１９】
2009011715.tif 000021
【図２０】
2009011715.tif 000022
【図２１】
2009011715.tif 000023
【図２２】
2009011715.tif 000024
【図２３】
2009011715.tif 000025
【図２４】
2009011715.tif 000026
【図２５】
2009011715.tif 000027
【図２６】
2009011715.tif 000028